(57)【要約】      （修正有）【課題】データ処理装置、データ処理方法及び光ディスクの評価方法に関し、過去に作成した光ディスクと同一の光ディスクを作成することが可能なディスク原盤を処理することができるようにする。【解決手段】コンパクトディスク、およびＣＤ−ＲＯＭに適用することができるデータ処理装置は、ディスク原盤のカッティングに供するシリアルデータ列ＤＥＦＭをデータ記録手段に記録して保持し、データ処理手段より出力されるシリアルデータ列に代えてデータ記録手段に記録したシリアルデータをカッティング装置に出力する。【選択図】        図１
2004213788.tif 000002
【特許請求の範囲】
【請求項１】
ディスク原盤のカッティングに供するシリアルデータ列を生成するデータ処理装置において、
記録に供するデータをデータ処理して前記シリアルデータ列を生成するデータ処理手段と、
前記シリアルデータ列を記録するデータ記録手段と
を備えることを特徴とするデータ処理装置。
【請求項２】
前記データ処理手段より出力される前記シリアルデータ列に代えて、
前記データ記録手段に記録した前記シリアルデータ列を、カッティング装置に出力する
ことを特徴とする請求項１に記載のデータ処理装置。
【請求項３】
ディスク原盤より作成された光ディスクにレーザービームを照射して戻り光を処理することにより、前記光ディスクに形成されたピット列に対応する再生信号を生成する再生信号検出手段と、
前記再生信号を信号処理して、前記ディスク原盤のカッティングに供したシリアルデータ列を生成する再生信号処理手段と、
前記再生信号処理手段で生成された前記シリアルデータ列と、記録媒体に記録した前記ディスク原盤のカッティングに供したシリアルデータ列とを比較するデータ比較手段と
を備えることを特徴とするデータ処理装置。
【請求項４】
ディスク原盤のカッティングに供するシリアルデータ列を生成するデータ処理方法において、
前記シリアルデータ列を記録して保持し、
該記録して保持した前記シリアルデータ列により前記ディスク原盤をカッティングする
ことを特徴とするデータ処理方法。
【請求項５】
ディスク原盤のカッティングに供するシリアルデータ列を記録して保持し、
前記シリアルデータ列によりカッティングされたディスク原盤より作成された光ディスクより検出される前記シリアルデータ列と、前記記録して保持した前記シリアルデータ列との比較により、前記光ディスクを評価する
ことを特徴とする光ディスクの評価方法。
【発明の詳細な説明】
【０００１】
【発明の属する技術分野】
本発明は、データ処理装置、データ処理方法及び光ディスクの評価方法に関し、例えばコンパクトディスク（Ｃｏｍｐａｃｔ  Ｄｉｓｃ）、ＣＤ−ＲＯＭ（Ｃｏｍｐａｃｔ  Ｄｉｓｃ  Ｒｅａｄ  Ｏｎｌｙ  Ｍｅｍｏｒｙ  ）に適用することができる。本発明は、ディスク原盤のカッティングに供するシリアルデータ列を記録して保持することにより、過去に作成した光ディスクと同一に光ディスクを作成することが可能にディスク原盤を処理することができるようにする。
【０００２】
【従来の技術】
従来、コンパクトディスクの作成工程においては、記録に供するデータをＥＦＭ変調（Ｅｉｇｈｔ  ｔｏ  Ｆｏｕｒｔｅｅｎ  Ｍｏｄｕｌａｔｉｏｎ）してディスク原盤を露光することによりマザーディスクを作成し、このマザーディスクからコンパクトディスク等を作成するようになされている。
【０００３】
すなわち図５に示すように、従来のコンパクトディスク１の作成工程において、フォーマッタ２は、順次入力されるコンテンツのデータ（以下コンテンツデータと呼ぶ）Ｄ１に誤り訂正符号を付加してインターリーブ処理した後、ＥＦＭ変調回路３によりＥＦＭ変調する。さらにフォーマッタ２は、このＥＦＭ変調したデータに同期信号等を付加した後、パラレルシリアル変換回路（Ｐ／Ｓ変換）４によりパラレルシリアル変換処理する。これによりフォーマッタ２は、コンパクトディスクに作成するピット列のエッジに対応するタイミングで論理レベルが立ち上がるシリアルデータ列によるＥＦＭ信号ＥＦＭを生成する。
【０００４】
コンパクトディスクの作成工程では、このＥＦＭ信号ＥＦＭをカッティング装置５に供給し、カッティング装置５では、このＥＦＭ信号ＥＦＭをＮＲＺＩ（Ｎｏｎ  Ｒｅｔｕｒｎ  ｔｏ  Ｚｅｒｏ  Ｉｎｖｅｒｔｅｄ  ）変調し、ピット列に対応して信号レベルが切り換わる駆動信号を生成し、ディスク原盤に照射するレーザービームをこの駆動信号によりオンオフ制御する。これによりコンパクトディスクの製造工程では、ディスク原盤にピット列による潜像を作成し、このディスク原盤を現像した後、電鋳処理してマスターディスクを作成する。またこのマスターディスクよりスタンパを作成し、このスタンパよりコンパクトディスクを製造するようになされている。
【０００５】
このようなコンパクトディスクに代表される光ディスクの作成方法においては、コンテンツのデータを暗号化して処理する等により不正コピーを防止する方法が種々に提案されるようになされている。またこのような光ディスクの作成工程に関して、例えば特開平１０−６９６３７号公報においては、このようなディスク原盤の露光に供するレーザービームを最適化する方法が提案されるようになされている。
【０００６】
【特許文献１】
特開平１０−６９６３７号公報
【０００７】
【発明が解決しようとする課題】
ところでコンパクトディスクにおいては、例えば過去に発売したアルバムを改めてマザーディスクより作成する場合があり、このような場合、従来、改めてコンテンツデータＤ１をフォーマッタ２で処理してディスク原盤を露光することになる。
【０００８】
このような場合に、過去に作成したコンパクトディスクと同一にコンパクトディスクを作成することができれば、便利であると考えられる。すなわちこのように過去に作成したものと同一に作成することができれば、過去に作成したコンパクトディスクの評価を新たに作成したコンパクトディスクの評価に役立てることができ、例えば不正コピーの防止に係る仕組みの確認等を簡略化し得る。
【０００９】
しかしながら実際上、記録に供するデータの処理においては、ランダムな処理もあり、さらにはノイズの影響も完全には無視し得ないことにより、新たに作成するコンパクトディスクにあっては、過去に作成したものとは同一に作成できない問題があった。
【００１０】
本発明は以上の点を考慮してなされたもので、過去に作成した光ディスクと同一に光ディスクを作成することが可能にディスク原盤を処理することができるデータ処理装置及びデータ処理方法、これらを利用した光ディスクの評価方法を提案しようとするものである。
【００１１】
【課題を解決するための手段】
かかる課題を解決するため請求項１の発明においては、ディスク原盤のカッティングに供するシリアルデータ列を生成するデータ処理装置に適用して、記録に供するデータをデータ処理してシリアルデータ列を生成するデータ処理手段と、シリアルデータ列を記録するデータ記録手段とを備えるようにする。
【００１２】
また請求項３の発明においては、データ処理装置に適用して、ディスク原盤より作成された光ディスクにレーザービームを照射して戻り光を処理することにより、光ディスクに形成されたピット列に対応する再生信号を生成する再生信号検出手段と、再生信号を信号処理して、ディスク原盤のカッティングに供したシリアルデータ列を生成する再生信号処理手段と、再生信号処理手段で生成されたシリアルデータ列と、記録媒体に記録したディスク原盤のカッティングに供したシリアルデータ列とを比較するデータ比較手段とを備えるようにする。
【００１３】
また請求項４の発明においては、ディスク原盤のカッティングに供するシリアルデータ列を生成するデータ処理方法に適用して、シリアルデータ列を記録して保持し、該記録して保持したシリアルデータ列によりディスク原盤をカッティングするようにする。
【００１４】
また請求項５の発明においては、光ディスクの評価方法に適用して、ディスク原盤のカッティングに供するシリアルデータ列を記録して保持し、シリアルデータ列によりカッティングされたディスク原盤より作成された光ディスクより検出されるシリアルデータ列と、記録して保持したシリアルデータ列との比較により、光ディスクを評価する。
【００１５】
請求項１の構成によれば、ディスク原盤のカッティングに供するシリアルデータ列を生成するデータ処理装置に適用して、記録に供するデータをデータ処理してシリアルデータ列を生成するデータ処理手段と、シリアルデータ列を記録するデータ記録手段とを備えることにより、データ記録手段に記録して保持したシリアルデータ列を利用して過去に作成した光ディスクのディスク原盤と同一にディスク原盤をカッティングすることができ、これにより過去に作成した光ディスクと同一に光ディスクを作成することが可能にディスク原盤を処理することができる。
【００１６】
また請求項３の構成によれば、データ処理装置に適用して、ディスク原盤より作成された光ディスクにレーザービームを照射して戻り光を処理することにより、光ディスクに形成されたピット列に対応する再生信号を生成する再生信号検出手段と、再生信号を信号処理して、ディスク原盤のカッティングに供したシリアルデータ列を生成する再生信号処理手段と、再生信号処理手段で生成されたシリアルデータ列と、記録媒体に記録したディスク原盤のカッティングに供したシリアルデータ列とを比較するデータ比較手段とを備えることにより、過去に作成した光ディスクのディスク原盤と同一にディスク原盤をカッティング可能なデータ列を有効に利用して、光ディスクを評価することができる。
【００１７】
また請求項４の構成によれば、ディスク原盤のカッティングに供するシリアルデータ列を生成するデータ処理方法に適用して、シリアルデータ列を記録して保持し、該記録して保持したシリアルデータ列によりディスク原盤をカッティングすることにより、過去に作成した光ディスクのディスク原盤と同一にディスク原盤をカッティングすることができ、これにより過去に作成した光ディスクと同一に光ディスクを作成することが可能にディスク原盤を処理することができる。
【００１８】
また請求項５の構成によれば、光ディスクの評価方法に適用して、ディスク原盤のカッティングに供するシリアルデータ列を記録して保持し、シリアルデータ列によりカッティングされたディスク原盤より作成された光ディスクより検出されるシリアルデータ列と、記録して保持したシリアルデータ列との比較により、光ディスクを評価することにより、過去に作成した光ディスクのディスク原盤と同一にディスク原盤をカッティング可能なデータ列を有効に利用して、光ディスクを評価することができる。
【００１９】
【発明の実施の形態】
以下、適宜図面を参照しながら本発明の実施の形態を詳述する。
【００２０】
（１−１）第１の実施の形態
図１は、図５との対比により本発明の第１の実施の形態に係る光ディスクの製造工程を示すブロック図である。この図１に示す構成において、図５と同一の構成は対応する符号を付して示し、重複した説明は省略する。
【００２１】
この図１の構成において、フォーマッタ１２は、記録に供するデータであるコンテンツデータＤ１をデータ処理して、ディスク原盤のカッティングに供するシリアルデータ列ＥＦＭを生成する。すなわちこのフォーマッタ１２において、ＥＦＭ変調回路１３は、順次入力されるコンテンツデータＤ１、このコンテンツデータＤ１の管理データ等をコンパクトディスクのフォーマットに従って順次処理した後、ＥＦＭ変調する。さらにこのＥＦＭ変調による変調データに同期信号等を付加し、ＥＦＭ変調データＤＥＦＭを生成する。かくするにつきこのＥＦＭ変調データＤＥＦＭは、続くパラレルシリアル変換回路（Ｐ／Ｓ変換）４によりパラレルシリアル変換処理して、その処理結果であるシリアルデータ列が、コンパクトディスクに作成するピット列のエッジに対応するタイミングで論理レベルが立ち上がるＥＦＭ信号ＥＦＭを構成するようになされている。
【００２２】
ＥＦＭ信号保存機構１４は、このＥＦＭ変調データＤＥＦＭを記録するハードディスク装置等の記録手段であり、オペレータの操作により、ＥＦＭ変調回路１３からパラレルシリアル変換回路４に出力されるＥＦＭ変調データＤＥＦＭを記録して保持するようになされている。これによりこのフォーマッタ１２において、ＥＦＭ信号保存機構１４は、ディスク原盤の露光に供するシリアルデータ列を、パラレルデータの形式により保存するようになされている。なおこの実施の形態においては、少なくともコンパクトディスクのプログラムエリアの全てについて、このようにしてシリアルデータ列が連続して記録保存されるようになされている。
【００２３】
またＥＦＭ信号保存機構１４は、オペレータによる操作により、ＥＦＭ変調回路１３から出力されるＥＦＭ変調データＤＥＦＭに代えて、このようにして保存したＥＦＭ変調データＤＥＦＭをパラレルシリアル変換回路４に出力する。これによりこのフォーマッタ１２では、記録に供するコンテンツデータＤ１をデータ処理してカッティングに供するシリアルデータ列ＥＦＭを生成するデータ処理手段をＥＦＭ変調回路１３により構成して、このデータ処理手段から出力されるシリアルデータ列に代えて、データ記録手段に記録したシリアルデータ列を、カッティング装置５に出力するようになされている。
【００２４】
（１−２）第１の実施の形態の動作
以上の構成において、この実施の形態に係るコンパクトディスクの製造工程においては、フォーマッタ１２によりコンテンツデータＤ１を順次処理することにより、ディスク原盤のカッティングに供するシリアルデータ列であるＥＦＭ信号ＥＦＭが生成される。この工程では、このＥＦＭ信号ＥＦＭがカッティング装置５に供給され、このカッティング装置５において、このＥＦＭ信号ＥＦＭがＮＲＺＩ変調された後、ディスク原盤を露光するレーザービームがこのＮＲＺＩ変調による変調信号によりオンオフ制御され、これによりディスク原盤にピット列による潜像が形成される。この製造工程では、このディスク原盤が現像された後、電鋳処理されてマスターディスクが作成され、このマスターディスクよりスタンパが作成されてコンパクトディスク１が作成される。
【００２５】
この製造工程では、このようなディスク原盤の露光によるカッティングの処理において、シリアルデータ列に変換する前段階のＥＦＭ信号ＥＦＭであるＥＦＭ変調データＤＥＦＭがＥＦＭ信号保存機構１４により記録されて保存される。これによりこの製造工程では、コンパクトディスクのピット列を忠実に再現することができるＥＦＭイメージデータＤＥＦＭが保存され、このＥＦＭイメージデータＤＥＦＭにより過去に作成した光ディスクと同一に光ディスクを作成することが可能にディスク原盤を処理することが可能となる。
【００２６】
すなわち図２に示すように、過去に作成したコンパクトディスクと同一にコンパクトディスクを作成する場合にあっては、ＥＦＭ信号保存機構１４に保存したＥＦＭイメージデータＤＥＦＭをパラレルシリアル変換回路４に出力してＥＦＭ信号ＥＦＭを生成し、このＥＦＭ信号ＥＦＭによりカッティング装置５を駆動することにより、過去に作成したと同一にディスク原盤を露光し得、これにより過去に作成したコンパクトディスクと同一にコンパクトディスクを作成することができる。
【００２７】
またこのようにして保存したＥＦＭイメージデータＤＥＦＭをＣＤ−Ｒ等の記録媒体を介して同様の構成に係る他のフォーマッタに提供し、同様にしてカッティング装置５を駆動することによっても、過去に作成したコンパクトディスクと同一にコンパクトディスクを作成することができる。
【００２８】
（１−３）第１の実施の形態の効果
以上の構成によれば、ディスク原盤のカッティングに供するシリアルデータ列を記録して保持することにより、過去に作成した光ディスクと同一に光ディスクを作成することが可能にディスク原盤を処理することができる。
【００２９】
（２）第２の実施の形態
図３は、図５との対比により本発明の第２の実施の形態に係る構成を示すブロック図である。この実施の形態においては、カッティング装置５に出力するＥＦＭ信号ＥＦＭをＥＦＭ信号記録装置２１により記録する。なおこの図３に示す構成において、図５と同一の構成は対応する符号を付して示し、重複した説明は省略する。
【００３０】
すなわちこのＥＦＭ信号記録装置２１において、シリアルパラレル変換回路（Ｓ／Ｐ変換）２２は、ＥＦＭ信号ＥＦＭからチャンネルクロックを再生し、このチャンネルクロックにより順次ＥＦＭ信号ＥＦＭをラッチしてパラレルデータに変換する。この処理においてシリアルパラレル変換回路２２は、続くＥＦＭ信号保存機構２４の処理に適したビット幅によりＥＦＭ信号ＥＦＭをパラレルデータに変換して出力する。
【００３１】
ＥＦＭ信号保存機構２４は、ハードディスク装置等の記録手段であり、このシリアルパラレル変換回路から出力されるパラレルデータを順次記録して保持する。これによりこの実施の形態では、フォーマッタ２の外付けの記録装置によりディスク原盤のカッティングに供するシリアルデータ列を記録するようになされ、この記録したデータを図示しないパラレルシリアル変換回路によりシルアルデータ列に変換してＥＦＭ信号ＥＦＭを生成し、このＥＦＭ信号ＥＦＭをカッティング装置５に別途提供できるようになされている。
【００３２】
図３に示すように、フォーマッタ２の外付けの記録装置によりディスク原盤のカッティングに供するシリアルデータ列を記録するようにしても、第１の実施の形態と同一の効果を得ることができる。
【００３３】
（３）第３の実施の形態
図４は、本発明の第３の実施の形態に係る光ディスク評価装置を示すブロック図である。この光ディスク評価装置３１において、スピンドルモータ３２は、コンパクトディスク１を所定の回転速度により回転駆動し、サーボ回路３３は、このスピンドルモータ３２、光ピックアップ３４に係るトラッキング制御、フォーカス制御の処理を実行し、また光ピックアップ３４をシークさせる。
【００３４】
光ピックアップ３４は、コンパクトディスク１にレーザービームを照射して戻り光を受光し、その受光結果を処理することにより、トラッキング制御、フォーカス制御に必要なエラー信号を生成してサーボ回路３３に出力する。また光ピックアップ３４は、この受光結果の処理により、コンパクトディスク１に形成されたピット列に応じて信号レベルが変化する再生信号ＲＦを生成する。
【００３５】
ＥＦＭ復調回路３５は、この再生信号ＲＦからＥＦＭ信号ＥＦＭを再生する。すなわちＥＦＭ復調回路３５は、この再生信号ＲＦを２値化して２値化信号を生成し、この２値化信号よりクロックを再生する。ＥＦＭ復調回路３５は、このクロックＣＫにより２値化信号を順次ラッチした後、ＮＲＺＩ復調することにより、ＥＦＭ信号ＥＦＭに対応するシリアルデータ列ＥＦＭ１を再生する。
【００３６】
データ処理回路３６は、このシリアルデータ列ＥＦＭ１より同期信号を検出し、この同期信号を基準にしてシリアルデータ列ＥＦＭ１を順次処理することにより、コンテンツデータＤ１を再生して出力する。
【００３７】
コントローラ３７は、この光ディスク評価装置３１全体の動作を制御するコンピュータであり、オペレータの指示により所定の処理手順の実行することにより、サーボ回路３３に光ピックアップ３４のシークを指示し、コンパクトディスク１のプログラムエリアについて、先頭領域から順次コンパクトディスク１を再生し、ＥＦＭ復調回路３５からシリアルデータ列ＥＦＭ１を取得する。またこのコンパクトディスク１の作成時に保存したＥＦＭイメージデータＤＥＦＭと、ＥＦＭ復調回路３５から得られるシリアルデータ列ＥＦＭ１と順次比較し、比較結果ＣＯＭを出力する。なおこのコンパクトディスク１の作成時に保存したＥＦＭイメージデータＤＥＦＭにおいては、第１又は第２の実施の形態に係る構成により提供される。コントローラ３７は、この比較結果ＣＯＭを所定のインターフェース（Ｉ／Ｆ）３８を介して、外部のコンピュータに出力する。
【００３８】
これによりこの実施の形態においては、この比較結果ＣＯＭを出力するコンピュータでコンパクトディスク１を評価できるようになされている。
【００３９】
これによりこの実施の形態において、光ピックアップ３４は、ディスク原盤より作成された光ディスクにレーザービームを照射して戻り光を処理することにより、光ディスクに形成されたピット列に対応する再生信号を生成する再生信号検出手段を構成するのに対し、ＥＦＭ復調回路３５は、この再生信号を信号処理して、ディスク原盤のカッティングに供したシリアルデータ列を生成する再生信号処理手段を構成するようになされている。またコントローラ３７は、この再生信号処理手段で生成されたシリアルデータ列と、記録媒体に記録したディスク原盤のカッティングに供したシリアルデータ列とを比較するデータ比較手段を構成するようになされている。
【００４０】
かくするにつきカッティング時に記録したシリアルデータ列においては、光ディスクに形成されるピット列のエッジのタイミングを示すことにより、コンパクトディスクに形成されるエッジのタイミングについて、作成目標のタイミングを示すことになる。これによりこの実施の形態により得られる比較結果においては、このようなピットの作成目標に対して、実際に光ディスクに形成されたピット列についてのタイミングを示すことになる。これによりこのようにして得られる比較結果においては、例えばディスク原盤露光時におけるレーザービームの光量の最適化、スタンパよりコンパクトディスクを作成する際の成形条件等の最適化等に利用することができる。
【００４１】
この図４に示す構成によれば、記録して保持したディスク原盤のカッティングに供するシリアルデータ列に基づいて、光ディスクを評価することにより、カッティング時の記録を有効に利用して簡易に光ディスクを評価することができる。
【００４２】
（４）他の実施の形態
なお上述の第１の実施の形態においては、パラレルシリアル変換前の段階によりシリアルデータ列を記録したことにより、ＥＦＭ変調した１４ビットパラレルのデータに３ビットの結合ビットを付加して１７ビットパラレルによりシリアルデータ列を記録する場合について述べたが、本発明はこれに限らず、結合ビットを除いた形式により記録するようにし、このようにして記録したデータを再利用してＥＦＭ信号を生成する際に、結合ビットを付加するようにしてもよい。
【００４３】
また上述の実施の形態においては、カッティング装置によりＥＦＭ信号をＮＲＺＩ変調する場合について述べたが、本発明はこれに限らず、フォーマッタによりＮＲＺＩ変調するようにしてもよく、またこれに対応してＮＲＺＩ変調データの形式でシリアルデータ列を記録保存するようにしてもよい。
【００４４】
また上述の実施の形態においては、本発明によりコンパクトディスクを作成する場合について述べたが、本発明はこれに限らず、ＣＤ−ＲＯＭを作成する場合、ＤＶＤ、自世代の光ディスクを作成する場合等に広く適用することができる。
【００４５】
【発明の効果】
上述のように本発明によれば、ディスク原盤のカッティングに供するシリアルデータ列を記録して保持することにより、過去に作成した光ディスクと同一に光ディスクを作成することが可能にディスク原盤を処理することができる。
【図面の簡単な説明】
【図１】本発明の第１の実施の形態に係る光ディスクの製造工程を示すブロック図である。
【図２】図１のフォーマッタで記録したシリアルデータの処理の説明に供するブロック図である。
【図３】本発明の第２の実施の形態に係る光ディスクの製造工程を示すブロック図である。
【図４】本発明の第３の実施の形態に係る光ディスク評価装置を示すブロック図である。
【図５】従来の光ディスクの製造工程を示すブロック図である。
【符号の説明】
１……コンパクトディスク、２、１２……フォーマッタ、３、１３……ＥＦＭ変調回路、４……パラレルシリアル変換回路、５……カッティング装置、１４、２４……ＥＦＭ信号保存機構、２２……シリアルパラレル変換回路、３１……光ディスク評価装置、３５……ＥＦＭ復調回路、３７……コントローラ
【図１】
2004213788.tif 000003
【図２】
2004213788.tif 000004
【図３】
2004213788.tif 000005
【図４】
2004213788.tif 000006
【図５】
2004213788.tif 000007